(57)【要約】      （修正有）【課題】盗難、偽造カード防止、本人確認を確実に行うことができる、銀行キャッシュカードを提供する。【解決手段】銀行キャッシュカードの表面、裏面ともに口座番号が印字されず、カードに口座番号、氏名、ＩＰアドレス、暗証番号を記憶する。暗証番号は１００桁とする。また、本人確認用としてＩＰアドレスを記録する。さらに振込履歴を記録することができる。【選択図】図１
2019067349.tif 000002
【特許請求の範囲】
【請求項１】
銀行用キャッシュカードで、ＡＴＭ用。表面裏面に口座番号の記入のないもの。
生体認証がある。内部に記録ができる。暗唱番号１００ケタ。
【請求項２】
銀行用キャッシュカードでネットバンクダイレクト用。
よみとりき自動入力のよみとりきに挿入することのできるキャッシュカード。
通帳の記録、振込みの記録ができる。ＩＰアドレスが記録できる。
表面、裏面ともに口座番号の記入がないもの。
【発明の詳細な説明】
【技術分野】
【０００１】本発明は、ＡＴＭ、ネットバンク（個人用）ダイレクトに使用する銀行キャッシュカードである。
主に盗難、ギゾーカード防止、本人確認を確実に行えることを目的とする。
【背景技術】
【０００２】従来のキャッシュカードの中で盗難を防止目的として作成されたものは、とくに見かけない。
従来は、キャッシュカードの表面に口座番号氏名を印字したものか、デコボコした形にして口座番号をかいたものが主である。
キャッシュカードではないが、イトーヨーカドーのナナコカードのように裏面に番号やバーコードが印字されたものはある。表面には絵が描かれているだけであり、これでは、裏面を提示しなければ、のぞき見でカメラ撮影し、ギゾーカードをつくることはできない。
【発明の概要】
【発明が解決しようとする課題】
【０００３】銀行で盗難が多発している。ＡＴＭのどろぼうとしては、ギゾーカード、暗唱番号をぬすみ見ることによりおきる。暗唱番号は、４ケタで少なく覚えやすい。
ネットバンクダイレクトの盗難としては、口座番号暗唱番号をぬすみ見され、他人の口座番号を入力し、暗唱番号を入力することで勝手に他人の口座から自分の口座へ振込みを行うことがある。又、ネットバンクダイレクトで振込みを行っても、通帳に記録がのこらない点が盗難のはじまりといえる。
【課題を解決するための手段】
【０００４】ＡＴＭの偽造カード防止としては、表面、裏面ともに口座番号が印字されていない。
キャッシュカードの中に口座番号、氏名、ＩＰアドレス、暗唱番号が記録されている。暗唱ＮＯは、４ケタではなく１００ケタになっており、これでは、覚えることは困難である。本人確認としてＩＰアドレスを入力記録してある。
又、キャッシュカードは、振込の記録をつけることができる。
本キャッシュカードは、ＡＴＭ普通貯金単独で使うこともできるが、専用のＡＴＭが必要になる。キャッシュカードに生体認証がついている。
又、ネットバンクダイレクトで使う場合は、よみとりきとセットで使う。このことを読みとり機自動入力という。よみとり機にカードを挿入することで、自動的に銀行ホームページに入力されるのである。振込みの記録は内部に残る。
自動入力により、他人がのぞき見入力されることを防止できる。
【発明の効果】
【０００５】表面、裏面に何も書かれていないことから、スマホののぞき見によるカメラ撮影による偽造カード作成はできない。
又、万が一口座番号、暗唱ＮＯがのぞかれるようなことがあっても、暗唱番号を正確に覚えきることは、かなり困難かと思われる。
又、カードをおとしたとしても、生体認証をカードに付しておけば、ＡＴＭに挿入しただけでひろった人が現金をおろすことはできない。
ネットバンクダイレクトにおいても、よみとりきに挿入することで自動的にホームページの口座番号  暗唱番号が入力されることから、他人が勝手に口座番号を入力して残高を知る、勝手におろすことは難しいと思われる。つまり、自分の口座しかひらけないということである。だから他人の口座の残高を知ったり、他人の現金をおろしたりすることはできない。
万が一に備えて、このキャッシュカードは、振込などの通帳記録ができ、盗難することは難しい。
【図１】
2019067349.tif 000003
【手続補正書】
【提出日】平成29年12月15日(2017.12.15)
【手続補正１】
【補正対象書類名】明細書
【補正対象項目名】全文
【補正方法】変更
【補正の内容】
【発明の詳細な説明】
【技術分野】
【０００１】本発明は、ＡＴＭ、ネットバンク（個人用）ダイレクトに使用する銀行キャッシュカードである。主に盗難、ギゾーカード防止、本人確認を確実に行えることを目的とする。
【背景技術】
【０００２】従来のキャッシュカードの中で盗難を防止目的として作成されたものは、とくに見かけ
2019067349.tif 000004
した形にして口座番号をかいたものが主である。
キャッシュカードではないが、イトーヨーカドーのナナコカードのように裏面に番号やバーコードが印字されたものはある。表面には、絵が描かれているだけであり、これでは、裏面を提示しなければ、のぞき見でカメラ撮影し、ギゾーカードをつくることはできない。
【発明の概要】
【発明が解決しようとする課題】
【０００３】銀行で盗難が多発している。ＡＴＭのどろぼうとしては、ギゾーカード、暗唱番号をぬすみ見ることによりおきる。暗唱番号は、４ケタで少なく覚えやすい。
ネットバンクダイレクトの盗難としては、口座番号暗唱番号をぬすみ見され、他人の口座番号を入力し、暗唱番号を入力することで、勝手に他人の口座から自分の口座へ振込みを行うことがある。又、ネットバンクダイレクトで、振込みを行っても、通帳に記録がのこらない点が盗難のはじまりといえる。
【課題を解決するための手段】
【０００４】ＡＴＭの偽造カード防止としては、表面、裏面ともに口座番号が印字されていない。
キャッシュカードの中に口座番号、氏名、ＩＰアドレス、暗唱番号が記録されている。
暗唱番号は、４ケタではなく、１００ケタになっており、これでは覚えることは困難である。本人確認としてＩＰアドレスを入力記録してある。
又、キャッシュカードは振込の記録をつけることができる。
本キャッシュカードは、ＡＴＭ普通貯金単独で使うこともできるが、専用のＡＴＭが必要となる。キャッシュカードに生体認証がついている。
又、ネットバンクダイレクトで使う場合は、よみとり機とセットで使う。このことを読みとり機による自動入力という。よみとり機にカードを挿入することで、自動的に銀行ホームページに入力されるのである。振込みの記録は内部に残る。
自動入力されることで手入力ができないことから他人が自由に入力して、のぞき見されることを防止できる。
【発明の効果】
【０００５】表面、裏面に何も書かれていないことから、スマホ、パソコンによるのぞき見によってカメラ撮影されて偽造カードを作成することはできない。
又、万が一口座番号、暗唱番号がのぞかれてしまうことがあったとしても暗唱番号を正確に覚えきることは、かなり困難かと思われる。
又、カードを落としたとしても、生体認証をカードに付しておけば、ＡＴＭに挿入しただけでひろった人が現金をおろすことはできない。
ネットバンクダイレクトにおいても、よみとり機に挿入することで、自動的にホームページの口座番号、暗唱番号が入力されることから、他人が勝手に口座番号を入力して残高を知る、勝手におろすことは、難しいと思われる。つまり、自分の口座しかひらけないということである。だから他人の口座の残高を知ったり、他人の現金をおろしたりすることはできない。
万が一に備えて、このキャッシュカードは、振込などの通帳記録ができ、盗難することは難しい。
【図面の簡単な説明】
【０００６】
【図１】
2019067349.tif 000005
【符号の説明】
2019067349.tif 000006
図１の２は、矢印方向へキャッシュカードを挿入する。
図１の３は、銀行名と氏名がキャッシュカードに記載されていることを示す。
【手続補正２】
【補正対象書類名】図面
【補正対象項目名】全図
【補正方法】変更
【補正の内容】
【図１】
2019067349.tif 000007